(57)【要約】【課題】本発明は、読取装置の設置階と異なる階の識別体から読み取られた情報の照合を防止する入退室管理システムを提供することである。【解決手段】入退室管理システムは、複数の階床を備えた建物に設けられ、識別情報を有するカード１０を携帯する利用者の階床間の移動に伴って階床情報を識別体に書き込む書込手段と、建物の複数の階床に設けられ、無線通信によりカード１０から識別情報及び階床情報を読み取る読取装置７と、カード１０から識別情報及び階床情報を読み取った読取装置７の設置階と読取装置７により読み取られた階床情報の示す階とが一致した場合に、読取装置７により読み取られた識別情報を予め記憶している識別情報と照合する入退室管理制御盤９と、を備える。【選択図】図２
2015069295.tif 000002
【特許請求の範囲】
【請求項１】
複数の階床を備えた建物に設けられ、識別情報を有する識別体を携帯する利用者の階床間の移動に伴って階床情報を前記識別体に書き込む書込手段と、
前記建物の複数の階床に設けられ、無線通信により前記識別体から識別情報及び階床情報を読み取る読取装置と、
前記識別体から識別情報及び階床情報を読み取った前記読取装置の設置階と前記読取装置により読み取られた階床情報の示す階とが一致した場合に、前記読取装置により読み取られた識別情報を予め記憶している識別情報と照合する入退室管理制御盤と、
を備えた入退室管理システム。
【請求項２】
前記書込手段は、無線通信により前記識別体に階床情報の書き込みを行う請求項１に記載の入退室管理システム。
【請求項３】
前記書込手段は、前記建物のエレベータのかごに設けられ、前記かごの昇降を制御するエレベータ制御盤から前記かごの次の停止階を示す階床情報を受信し、前記エレベータ制御盤から受信した階床情報を前記識別体に書き込むかご用書込装置を備えた請求項２に記載の入退室管理システム。
【請求項４】
前記書込手段は、
上下に隣接した上階と下階とを繋ぐ階段の中間地点よりも前記上階の側に設けられ、前記上階を示す階床情報を前記識別体に書き込む第１の通路用書込装置と、
前記階段の中間地点よりも前記下階の側に設けられ、前記下階を示す階床情報を前記識別体に書き込む第２の通路用書込装置と、
を備え、
前記第１の通路用書込装置及び前記第２の通路用書込装置は、発信する電波の到達範囲が互いに重複しないように設定された請求項２又は３に記載の入退室管理システム。
【請求項５】
前記入退室管理制御盤は、前記識別体から識別情報及び階床情報を読み取った前記読取装置の設置階と前記読取装置により読み取られた階床情報の示す階とが一致しない場合に、前記読取装置により読み取られた識別情報の照合を行わない請求項１から４のいずれか１項に記載の入退室管理システム。
【請求項６】
前記入退室管理制御盤は、前記読取装置により読み取られた識別情報の照合結果に基づいて、前記識別体から識別情報及び階床情報を読み取った前記読取装置の設置階にある部屋の扉に設けられた電気錠を解錠する請求項１から５のいずれか１項に記載の入退室管理システム。
【発明の詳細な説明】
【技術分野】
【０００１】
本発明は、入退室管理システムに関するものである。
【背景技術】
【０００２】
下記特許文献１には、入退室管理システムが記載されている。この入退室管理システムは、読取装置及び制御コントローラを備えている。読取装置は、電波を発信することで利用者が携帯する識別体と無線通信を行う。制御コントローラは、読取装置により識別体から読み取られた情報の照合を行う。制御コントローラは、照合結果に基づいて扉を解錠する。
【先行技術文献】
【特許文献】
【０００３】
【特許文献１】特開２０１０−２１０３３３号公報
【特許文献２】特開２００５−２１２９４０号公報
【発明の概要】
【発明が解決しようとする課題】
【０００４】
特許文献１に記載の入退室管理システムでは、読取装置が発信する電波の到達範囲を広げた場合、読取装置の設置階と異なる階の識別体から読み取られた情報の照合が行われることがある。
【０００５】
本発明は、上記の課題を解決するためになされた。その目的は、読取装置の設置階と異なる階の識別体から読み取られた情報の照合を防止する入退室管理システムを提供することである。
【課題を解決するための手段】
【０００６】
本発明に係る入退室管理システムは、複数の階床を備えた建物に設けられ、識別情報を有する識別体を携帯する利用者の階床間の移動に伴って階床情報を識別体に書き込む書込手段と、建物の複数の階床に設けられ、無線通信により識別体から識別情報及び階床情報を読み取る読取装置と、識別体から識別情報及び階床情報を読み取った読取装置の設置階と読取装置により読み取られた階床情報の示す階とが一致した場合に、読取装置により読み取られた識別情報を予め記憶している識別情報と照合する入退室管理制御盤と、を備えたものである。
【発明の効果】
【０００７】
本発明によれば、読取装置の設置階と読取装置により読み取られた階床情報の示す階とが一致した場合に照合が行われる。このため、読取装置が発信する電波の到達範囲を広げた場合に、読取装置の設置階と異なる階の識別体から読み取られた情報の照合が行われることを防止することができる。
【図面の簡単な説明】
【０００８】
【図１】本発明の実施の形態１における入退室管理システムの構成図である。
【図２】本発明の実施の形態１におけるカードに保持されるデータを示す模式図である。
【図３】本発明の実施の形態１における入退室管理制御盤が記憶しているデータを示す模式図である。
【図４】本発明の実施の形態１における利用者がエレベータを使用して移動する場合の入退室管理システムの動作を示すフローチャートである。
【図５】本発明の実施の形態１における利用者が階段を使用して移動する場合の入退室管理システムの動作を示すフローチャートである。
【図６】本発明の実施の形態１における利用者が目的階の所望の部屋へ入室するまでの入退室管理システムの動作を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、本実施の形態における入退室管理システムの構成図である。図１は、複数の階床を備えた建物における入退室管理システムを示している。建物は、利用者が階床間を移動するための建物内移動手段として、エレベータ及び階段を備えている。
【００１１】
エレベータは、かご１及びエレベータ制御盤２を備えている。建物には、書込制御盤３が設けられている。書込制御盤３は、エレベータ制御盤２と接続されている。かご１内には、行先階を指定するためのボタン及びかご用書込装置４が設けられている。かご用書込装置４は、書込制御盤３と接続されている。
【００１２】
建物の各階にある部屋には、それぞれ扉５が設けられている。扉５には、電気錠６が設けられている。各部屋の扉５の外には、それぞれ読取装置７が設けられている。読取装置７は、例えば、扉５付近の廊下の壁又は天井等に設置されている。建物の各階には、通路用書込装置８及び入退室管理制御盤９が設けられている。通路用書込装置８は、例えば、階段付近の廊下の壁又は天井等に設置されている。入退室管理制御盤９は、同じ階にある電気錠６、読取装置７及び通路用書込装置８と接続されている。各階の入退室管理制御盤９は、書込制御盤３と接続されている。
【００１３】
利用者は、識別情報を有する識別体を携帯している。識別情報は、識別体を特定するための固有の情報である。識別体は、無線通信により書き込み及び読み取り可能なメモリを備えている。本実施の形態では、利用者は、識別体としてカード１０を携帯している。カード１０は、識別情報としてＩＤ番号を有している。
【００１４】
エレベータ制御盤２は、かご１の昇降及びかご１の扉の開閉を制御する。エレベータ制御盤２は、書込制御盤３に階床情報を送信する。階床情報は、建物の各階のいずれか１つを示す情報である。
【００１５】
書込制御盤３は、エレベータ制御盤２から受信した階床情報をかご用書込装置４に送信する。書込制御盤３は、かご用書込装置４に階床情報の書き込みを行わせる指令を出力する。
【００１６】
かご用書込装置４は、電波を発信する。かご用書込装置４は、発信する電波の到達範囲内にあるカード１０と無線通信を行う。かご用書込装置４は、書込制御盤３からの指令に基づいて、書込制御盤３から受信した階床情報をカード１０内のメモリに書き込む。かご用書込装置４は、階床情報の書き込みが完了したことを示す信号を書込制御盤３に送信する。なお、かご用書込装置４の電波の到達範囲は、少なくともかご１内にあるカード１０と無線通信が行えるように設定されている。
【００１７】
通路用書込装置８は、電波を発信する。通路用書込装置８は、発信する電波の到達範囲内にあるカード１０と無線通信を行う。通路用書込装置８は、設置階を示す階床情報をカード１０内のメモリに書き込む。通路用書込装置８は、階床情報の書き込みが完了したことを示す信号を書込制御盤３に送信する。なお、通路用書込装置８の電波の到達範囲は、異なる階に設置された別の通路用書込装置８の電波の到達範囲と互いに重複しないように設定されている。
【００１８】
読取装置７は、電波を発信する。読取装置７は、発信する電波の到達範囲内にあるカード１０と無線通信を行う。読取装置７は、カード１０から階床情報及びＩＤ番号を読み取る。読取装置７は、カード１０から読み取った階床情報及びＩＤ番号を入退室管理制御盤９に送信する。
【００１９】
入退室管理制御盤９は、設置階を示す階床情報を通路用書込装置８に送信する。入退室管理制御盤９は、読取装置７から受信した階床情報及びＩＤ番号を予め記憶しているデータと照合する。入退室管理制御盤９は、ＩＤ番号の照合結果に基づいて、電気錠６を制御する。
【００２０】
図２は、カード１０に保持されるデータを示す模式図である。カード１０には、カード１０を特定するための固有のＩＤ番号が記憶されている。カード１０内のメモリには、かご用書込装置４又は通路用書込装置８により階床情報が書き込まれる。
【００２１】
図３は、入退室管理制御盤９が記憶しているデータを示す模式図である。入退室管理制御盤９は、「接続されている装置及び扉の情報」及び「利用者情報」を予め記憶している。「接続されている装置及び扉の情報」には、入退室管理制御盤９に接続されている読取装置７、通路用書込装置８及び電気錠６が設けられた扉５の設置階及び設置場所名等が含まれている。また、「接続されている装置及び扉の情報」には、タイムスケジュールに従って自動的に電気錠６の施解錠等を行うための時刻データ等が含まれている。「利用者情報」は、入退室管理システムの利用者の登録情報である。「利用者情報」には、各利用者の利用者番号、氏名、カードのＩＤ番号及び通行可能な扉５等が含まれている。
【００２２】
図４は、利用者がエレベータを使用して移動する場合の入退室管理システムの動作を示すフローチャートである。以下、図４を参照して、利用者がかご１に乗車してから降車するまでの流れを説明する。
【００２３】
利用者がかご１内で所望の行先階のボタンを押すと（ステップＳ１０１）、エレベータ制御盤２は、かご１を走行開始させる。利用者がボタンを押した階が、かご１の停止階となる。複数の利用者が異なる行先階のボタンを押した場合、すべての行先階がかご１の停止階となる。エレベータ制御盤２は、かご１の走行中に、停止階のひとつ前の階を通過したか否かを判定する（ステップＳ１０２）。かご１が停止階のひとつ前の階を通過していない場合、エレベータ制御盤２は、ステップＳ１０２の動作を繰り返す。
【００２４】
ステップＳ１０２で停止階のひとつ前の階を通過した場合、エレベータ制御盤２は、書込制御盤３へ停止階を示す階床情報を送信する（ステップＳ１０３）。書込制御盤３は、エレベータ制御盤２から受信した階床情報をかご用書込装置４へ送信する。書込制御盤３は、かご用書込装置４に階床情報の書き込みを行わせる指令を出力する。
【００２５】
かご用書込装置４は、書込制御盤３からの指令に基づいて、書込制御盤３から受信した階床情報をカード１０内のメモリに書き込む（ステップＳ１０４）。複数の利用者がかご１に乗車している場合、かご用書込装置４は、すべての利用者が携帯しているカード１０内のメモリに階床情報を書き込む。かご用書込装置４は、階床情報の書き込みが完了した場合、その旨を示す信号を書込制御盤３へ送信する。
【００２６】
書込制御盤３は、かご用書込装置４からの信号に基づいて、階床情報の書き込みが完了したか否かを判定する（ステップＳ１０５）。階床情報の書き込みが完了していない場合、書込制御盤３は、かご用書込装置４にステップＳ１０４の動作を繰り返させる。なお、ステップＳ１０４及びステップＳ１０５の動作は、かご１の走行中又は停止階に到着した状態で行われる。ステップＳ１０４及びステップＳ１０５の動作中は、かご１が停止階に到着していたとしても、エレベータ制御盤２は、かご１の扉を戸開しない。
【００２７】
ステップＳ１０５で階床情報の書き込みが完了した場合、書込制御盤３は、その旨を示す信号をエレベータ制御盤２へ送信する。エレベータ制御盤２は、かご１が停止階に到着しかつ階床情報の書き込みが完了したことを示す信号を受信した場合、かご１の扉を戸開する（ステップＳ１０６）。これにより、利用者はかご１から降車可能となる。
【００２８】
ステップＳ１０６において、停止階が所望の行先階である利用者は、かご１から降車する。このとき、降車した利用者のカード１０内のメモリには、降車した利用者が現在居る階を示す階床情報が書き込まれている。また、このとき、かご１から降車しなかった利用者のカード１０内のメモリにも、降車した利用者が現在居る階を示す階床情報が書き込まれている。この後、かご１に乗車している利用者がすべて降車するまで、かご１の走行は継続される。つまり、ステップＳ１０２からステップＳ１０６の動作が繰り返される。このため、かご１が停止するたびに、かご１に乗車している利用者のカード１０内の階床情報が更新される。その結果、エレベータを使用した利用者のカード１０内のメモリは、その利用者が現在居る階を示す階床情報が書き込まれた状態となる。
【００２９】
図５は、利用者が階段を使用して移動する場合の入退室管理システムの動作を示すフローチャートである。以下、図５を参照して、利用者が階段を使用して目的階へ移動する場合の流れを説明する。
【００３０】
利用者は、現在居る階の階段付近を通過するときに（ステップＳ２０１）、その階に設置された通路用書込装置８の電波の到達範囲内に入る。このとき、利用者が現在居る階に設置された入退室管理制御盤９は、その階を示す階床情報を通路用書込装置８に送信する。利用者が現在居る階に設置された通路用書込装置８は、入退室管理制御盤９から受信した階床情報を利用者が携帯しているカード１０内のメモリに書き込む（ステップＳ２０２）。例えば、利用者が１階の階段付近を通過すると、１階に設置された通路用書込装置８が、１階を示す階床情報をカード１０内のメモリに書き込む。通路用書込装置８は、階床情報の書き込みが完了した場合、その旨を示す信号を入退室管理制御盤９へ送信する。
【００３１】
入退室管理制御盤９は、通路用書込装置８からの信号に基づいて、階床情報の書き込みが完了したか否かを判定する（ステップＳ２０３）。階床情報の書き込みが完了していない場合、入退室管理制御盤９は、通路用書込装置８にステップＳ２０２の動作を繰り返させる。
【００３２】
利用者が階段を使用して上階又は下階に移動し、目的階で階段から廊下へ移動すると（ステップＳ２０４）、目的階に設置された通路用書込装置８の電波の到達範囲内に入る。このとき、目的階に設置された入退室管理制御盤９は、その階を示す階床情報を通路用書込装置８に送信する。目的階に設置された通路用書込装置８は、入退室管理制御盤９から受信した階床情報を利用者が携帯しているカード１０内のメモリに書き込む（ステップＳ２０５）。例えば、利用者が階段から２階の廊下へ移動すると、２階に設置された通路用書込装置８が、２階を示す階床情報をカード１０内のメモリに書き込む。目的階に設置された通路用書込装置８は、階床情報の書き込みが完了した場合、その旨を示す信号を目的階に設置された入退室管理制御盤９へ送信する。
【００３３】
目的階に設置された入退室管理制御盤９は、目的階に設置された通路用書込装置８からの信号に基づいて、階床情報の書き込みが完了したか否かを判定する（ステップＳ２０６）。階床情報の書き込みが完了していない場合、入退室管理制御盤９は、通路用書込装置８にステップＳ２０５の動作を繰り返させる。
【００３４】
この後、利用者がさらに別の階へ移動した場合も、ステップＳ２０１からステップＳ２０６の動作が繰り返される。このため、利用者が階段で移動するたびに、利用者のカード１０内の階床情報が更新される。その結果、階段で移動した利用者のカード１０内のメモリは、その利用者が現在居る階を示す階床情報が書き込まれた状態となる。
【００３５】
図６は、利用者が目的階の所望の部屋へ入室するまでの入退室管理システムの動作を示すフローチャートである。
【００３６】
利用者は、目的階の所望の部屋の扉５に近づく（ステップＳ３０１）。利用者が携帯しているカード１０は、扉５付近に設置された読取装置７からの電波を受信したか否かに基づいて無線通信を行う（ステップＳ３０２）。カード１０が読取装置７の電波の到達範囲内に入っていない場合、利用者は、ステップＳ３０１からの動作を繰り返す。カード１０が読取装置７からの電波を受信した場合、カード１０から読取装置７へ階床情報及びカードのＩＤ番号が送信される（ステップＳ３０３）。
【００３７】
読取装置７は、カード１０から受信した情報を入退室管理制御盤９へ送信する（ステップＳ３０４）。入退室管理制御盤９は、読取装置７によりカード１０から読み取られた階床情報を「接続されている装置及び扉の情報」と照合する。これにより、カード１０から読取装置７へ送信された階床情報が示す階と扉５の設置階とが一致するか否かが判定される（ステップＳ３０５）。カード１０から送信された階床情報が示す階と扉５の設置階とが異なる場合、入退室管理制御盤９は動作を終了する。なお、扉５の設置階は、読取装置７又は通路用書込装置８の設置階と同じである。
【００３８】
ステップＳ３０５において、カード１０から送信された階床情報が示す階と扉５の設置階とが一致した場合、ステップＳ３０６に進む。ステップＳ３０６において、入退室管理制御盤９は、読取装置７によりカード１０から読み取られたＩＤ番号を「利用者情報」と照合する。これにより、カード１０から読取装置７へ送信されたＩＤ番号のカード１０を携帯する利用者が扉５を通行可能か否かが判定される。この利用者が扉５を通行可能でない場合、入退室管理制御盤９は動作を終了する。
【００３９】
ステップＳ３０６において、カード１０から読取装置７へ送信されたＩＤ番号のカード１０を携帯する利用者が扉５を通行可能である場合、入退室管理制御盤９は、扉５の電気錠６を解錠する（ステップＳ３０７）。これにより、利用者は所望の部屋に入室可能となる。入退室管理制御盤９は、ステップＳ３０６におけるＩＤ番号の照合結果及びステップＳ３０７における電気錠６の解錠履歴のうち少なくとも一方を、カード１０から読取装置７へ送信されたＩＤ番号と紐づけて記録する。
【００４０】
上述したとおり、本実施の形態では、利用者が移動にエレベータと階段のどちらを使用したかにかかわらず、利用者のカード１０内のメモリに利用者が現在居る階を示す階床情報が書き込まれる。そして、入退室管理制御盤９は、読取装置７によりカード１０から読み取られた階床情報が示す階と所望の部屋の扉５の設置階とが一致した場合に限り、ＩＤ番号の照合を行う。これにより、読取装置７が発信する電波の到達範囲が広い場合に、扉５の設置階と異なる階のカード１０から読み取られた情報の照合が行われることを防止できる。例えば、利用者は３階に居るにもかかわらず２階に設置された入退室管理制御盤９でＩＤ番号が照合されることを防止できる。このため、利用者が居る階とは異なる階で電気錠６が解錠されることを防止できる。その結果、入退室管理システムのセキュリティ性を高めることができる。
【００４１】
上述したとおり、本実施の形態では、通路用書込装置８の電波の到達範囲は、異なる階に設置された別の通路用書込装置８の電波の到達範囲と互いに重複しないように設定されている。このため、利用者が居る階とは異なる階を示す階床情報がカード１０に書き込まれることを防止できる。
【００４２】
上述したとおり、本実施の形態では、かご用書込装置４からカード１０への階床情報の書き込みが完了した後に、かご１の扉が戸開される。このため、カード１０に正しい階床情報が書き込まれる前に利用者がかご１から降車することを防止できる。
【００４３】
本実施の形態では、各階の入退室管理制御盤９は、書込制御盤３と接続されている。このため、書込制御盤３は、かご１の停止階を各階の入退室管理制御盤９に送信することが可能である。これにより、例えば、設置階がかご１の停止階となったか否かに基づいて、読取装置７の電波の強度を制御することができる。
【００４４】
本実施の形態では、かご用書込装置４及び通路用書込装置８は、情報の書き込みを行う。また、読取装置７は、情報の読み取りを行う。しかし、かご用書込装置４、通路用書込装置８及び読取装置７として、読み書き双方の機能を持つリーダライタを用いてもよい。
【００４５】
本実施の形態では、識別体としてカード１０を用いているが、識別体の形状はカード型に限定されるものではない。例えば、コイン型又はスティック型等の識別体を用いても同様の効果が得られる。
【００４６】
本実施の形態では、通路用書込装置８は、階段付近の廊下に設置されている。しかし、カード１０に正しい階床情報を書き込めるのならば、通路用書込装置８は、廊下付近の階段部分の壁又は天井等に設置してもよい。具体的には、上下に隣接した上階と下階とを繋ぐ階段の中間地点よりも上階の側に一方の通路用書込装置８が設けられ、下階の側に他方の通路用書込装置８が設けられていれば、同等の効果が得られる。
【００４７】
本実施の形態では、建物の各階に電気錠６、読取装置７、通路用書込装置８及び入退室管理制御盤９が設置されている。しかし、高いセキュリティが必要とされる階床が限られる場合は、これらの装置を特定の階のみに設置することとしてもよい。
【００４８】
本実施の形態では、入退室管理制御盤９は、ＩＤ番号の照合結果及び電気錠６の解錠履歴のうち少なくとも一方を利用者のＩＤ番号と紐づけて記録する。しかし、さらに、部屋からの退室履歴を記録することとしてもよい。この場合、部屋の使用履歴を詳細に記録できるため、入退室管理システムのセキュリティをより高めることができる。
【符号の説明】
【００４９】
１  かご、２  エレベータ制御盤、３  書込制御盤、４  かご用書込装置、５  扉、６  電気錠、７  読取装置、８  通路用書込装置、９  入退室管理制御盤、１０  カード
【図１】
2015069295.tif 000003
【図２】
2015069295.tif 000004
【図３】
2015069295.tif 000005
【図４】
2015069295.tif 000006
【図５】
2015069295.tif 000007
【図６】
2015069295.tif 000008